(57)【要約】【課題】雨滴等の水滴がダクト内に溜まることを防止することができるルーバー及びルーバー付きダクトを提供する。【解決手段】ダクト５１の開口部５２に取り付けられるルーバー１であって、枠体２と、枠体２の内部に配置され、気流が衝突するルーバー羽根３と、ダクト５１に流入する気流に含まれる水滴を受ける受け体４とを備えており、受け体４は、ダクト５１の開口部５２近傍に配置可能となるように枠体２の下部に取り付けられているルーバー１。【選択図】図１
2008128607.tif 000002
【特許請求の範囲】
【請求項１】
ダクトの開口部に取り付けられるルーバーであって、
枠体と、
前記枠体の内部に配置され、気流が衝突するルーバー羽根と、
前記ダクトに流入する気流に含まれる水滴を受ける受け体とを備えており、
前記受け体は、前記ダクトの開口部近傍に配置可能となるように前記枠体の下部に取り付けられているルーバー。
【請求項２】
前記ルーバー羽根は、前記ダクトに流入する気流を斜め下方に案内する請求項１に記載のルーバー。
【請求項３】
前記枠体は、前記ルーバー羽根の下方に配置され、前記受け体が受けた水滴を外部に導く露出面を有する排出流路と、前記露出面の上方を覆うカバー体とを備える請求項１又は２に記載のルーバー。
【請求項４】
ダクトと、該ダクトの開口部に取り付けられるルーバーとを備えるルーバー付きダクトであって、
前記ルーバーは、枠体と、
前記枠体の内部に配置され、気流が衝突するルーバー羽根と、
前記ダクトに流入する気流に含まれる水滴を受ける受け体とを備えており、
前記受け体は、前記ダクトの開口部近傍の下部に配置されているルーバー付きダクト。
【発明の詳細な説明】
【技術分野】
【０００１】
本発明は、ルーバー及びルーバー付きダクトに関する。
【背景技術】
【０００２】
従来、建築物における通気ダクトの開口に取り付けられるルーバーとして、例えば、特許文献１に開示されているものが知られている。このルーバーは、図８の概略構成断面図に示すように、複数の横羽根１０１を上下方向に等間隔に配置した横型ルーバー部１０２と、複数の縦羽根１０３を横方向に配置した縦型ルーバー部１０４とを枠体１０５の内部に備えている。また、横型ルーバー部１０２と縦型ルーバー部１０４との間には、複数の空気通孔が形成された邪魔板１０６が配設されている。
【０００３】
このように構成されたルーバー１００によれば、屋外から浸入しようとする雨滴に対して最初に横型ルーバー部１０２がその浸入を阻み、この横型ルーバー部１０２を通過した雨滴に対して邪魔板１０６がその浸入を阻む。そして、邪魔板１０６の空気通孔を通過した雨滴に対しては、縦型ルーバー部１０４がその浸入を阻むので、雨滴がルーバー１００を通過することを有効に防止できるというものである。
【特許文献１】特開２００４−３６０３９０号公報
【発明の開示】
【発明が解決しようとする課題】
【０００４】
しかしながら、上述したルーバーを用いたとしても、雨滴がルーバーを通過することを確実に防止することは困難であり、ルーバーを通過した雨滴がダクト内に浸入し、当該ダクト内に雨滴が溜まってしまうという問題があった。
【０００５】
本発明は、このような問題を解決するためになされたものであって、雨滴等の水滴がダクト内に溜まることを防止することができるルーバー及びルーバー付きダクトを提供することを目的とする。
【課題を解決するための手段】
【０００６】
本発明の上記目的は、ダクトの開口部に取り付けられるルーバーであって、枠体と、前記枠体の内部に配置され、気流が衝突するルーバー羽根と、前記ダクトに流入する気流に含まれる水滴を受ける受け体とを備えており、前記受け体は、前記ダクトの開口部近傍に配置可能となるように前記枠体の下部に取り付けられているルーバーにより達成される。
【０００７】
また、このルーバーにおいて、前記ルーバー羽根は、前記ダクトに流入する気流を斜め下方に案内することが好ましい。
【０００８】
また、前記枠体は、前記ルーバー羽根の下方に配置され、前記受け体が受けた水滴を外部に導く露出面を有する排出流路と、前記露出面の上方を覆うカバー体とを備えることが好ましい。
【０００９】
また、本発明の上記目的は、ダクトと、該ダクトの開口部に取り付けられるルーバーとを備えるルーバー付きダクトであって、前記ルーバーは、枠体と、前記枠体の内部に配置され、気流が衝突するルーバー羽根と、前記ダクトに流入する気流に含まれる水滴を受ける受け体とを備えており、前記受け体は、前記ダクトの開口部近傍の下部に配置されているルーバー付きダクトにより達成される。
【発明の効果】
【００１０】
本発明によれば、雨滴等の水滴がダクト内に溜まることを防止することができるルーバー及びルーバー付きダクトを提供することができる。
【発明を実施するための最良の形態】
【００１１】
以下、本発明に係るルーバー及び当該ルーバーを備えたルーバー付きダクトついて添付図面を参照して説明する。図１は、本発明の一実施形態に係るルーバー付きダクト５の概略構成断面図であり、図２は、図１の矢示Ａ方向から見た正面図、図３は、ルーバー１の斜視図である。このルーバー付きダクト５は、図１に示すように、ダクト５１と、ルーバー１とを備えている。ダクト５１は、その軸線が水平方向となるように配置されており、室外側に開口し、その開口方向が水平方向となる矩形状の開口部５２を有している。ダクト５１の開口部５２には、ルーバー１が取り付けられている。
【００１２】
ルーバー１は、図１〜図３に示すように、矩形状の枠体２と、気流が衝突する複数のルーバー羽根３と、受け体４とを備えている。枠体２は、正面視矩形状の形状に形成されており、天板部２１、底板部２２及び側板部２３，２３を備えている。天板部２１の下面２２ａは、図１に示すように、断面視逆Ｖ字状となるように形成されており、複数のルーバー羽根３の最上部に配置されるルーバー羽根との間で空気通路を形成している。
【００１３】
枠体２の内部には、複数のルーバー羽根３が配置されている。また、この枠体２は、その内部において、複数のルーバー羽根３の下方に配置される排出流路２４と、カバー体２５とを備えている。
【００１４】
排出流路２４は、枠体２の側板部２３，２３に挟持される平板状部材により構成されており、後述のように受け体４により受け止められた水滴を外部に導く露出面２４ａを備えている。この平板状の排出流路２４は、室外側からダクト５１側に向かうにしたがって上り勾配となるように配置されている。
【００１５】
カバー体２５は、排出流路２４の露出面２４ａの上方を覆う部材であり、枠体２の底板部２２から立設する第１支持板２５１及び第２支持板２５２と、両支持板の上端部に接続する上板２５３とを備えている。第１支持板２５１及び第２支持板２５２には、排出流路２４を構成する平板状部材の両端部がそれぞれ接続している。第１支持板２５１には、後述する受け体４が受け止めた水滴を排出流路２４の露出面２４ａに導く導入孔２６が形成されている。第２支持板２５２には、露出面２４ａ上を流れる水滴をルーバー１の外部に排出するための排出孔２７が形成されている。なお、本実施形態においては、導入孔２６及び排出孔２７をスリット状に形成している。また、上板２５３は、図１に示すように断面視逆Ｖ字状となるように形成されており、その上面２５３ａと、複数のルーバー羽根３の最下部に配置されるルーバー羽根との間で空気通路を形成している。
【００１６】
ルーバー羽根３は、横置きされる二枚羽根タイプのルーバー羽根であり、図２及び図３に示すように、枠体２内において、その両端部がそれぞれ枠体２の側板部２３，２３に接続するように取り付けられている。また、図１及び図３に示すように、上下方向に所定間隔を空けて配置されている。このルーバー羽根３は、ダクト５１に流入する気流を斜め下方に案内するように羽根の向きが設定されている。なお、ルーバー羽根３は、例えば、一枚羽根タイプのルーバー羽根や、縦置きされる縦型ルーバータイプのルーバー羽根などを用いることもできる。
【００１７】
受け体４は、枠体２内を通過し、ダクト５１に流入する気流に含まれる水滴を受け止めて回収する部材であり、平板状の板材により構成されている。この受け体４は、ダクト５１の開口部５２近傍に挿入して配置可能となるように枠体２の下部に取り付けられている。また、受け止めた水滴が枠体２内の排出流路２４に自動的に流れるようにするために、第１支持板２５１に形成される導入孔２６に向けて下り勾配となるように傾斜させて取り付けられている。
【００１８】
このように構成されたルーバー１およびルーバー付きダクト５の作動について、図１を用いて説明する。まず、ルーバー１に風雨が吹き付けられると、風雨に含まれる雨滴の大部分は、複数のルーバー羽根３に衝突して捕水され、ルーバー羽根３の表面に沿って下方に流れる。ルーバー羽根３の表面を流れる雨滴のうち、ダクト５１側に流れる雨滴は、枠体２の下部に配置される受け体４によって受け止められ、導入孔２６、排出流路２４の露出面２４ａ及び排出孔２７を介してルーバー１の外部に排出される。
【００１９】
ルーバー羽根３に衝突せずに、枠体２の天板部２１の下面２２ａ、複数のルーバー羽根３およびカバー体２５の上面によって形成される空気通路を通過する雨滴は、ダクト５１内に流入する。このとき、ルーバー１を通過してダクト５１に流入する気流は、ダクト５１の開口部５２近傍において、ルーバー羽根３の影響によりその流れ方向が乱されているため、ダクト５１の開口部５２近傍における気流は、受け体４や、ダクト５１の開口部５２近傍の内部上面５３や内部側面５４に衝突しながら流れることになる。したがって、ダクト５１内に流入した雨滴は、気流の流れに伴って、受け体４や、ダクト５１の開口部５２近傍の内部上面５３や内部側面５４に衝突し捕水される。ダクト５１の内部上面５３や内部側面５４に付着した雨滴は、その自重により落下し、受け体４によって受け止められる。受け止められた雨滴は、導入孔２６、排出流路２４の露出面２４ａ及び排出孔２７を介してルーバー１の外部に排出される。
【００２０】
このように、本実施形態に係るルーバー１及びルーバー付きダクト５によれば、気流に含まれる水滴を受け止める受け体４をダクト５１の開口部５２近傍に備えているので、気流に含まれる水滴を捕水することができ、ダクト５１内に水滴が溜まることを確実に防止することができる。
【００２１】
また、ルーバー羽根３が、ダクト５１に流入する気流を斜め下方に案内するように構成されているため、ダクト５１に流入する気流を効率よく受け体４に衝突させることが可能になる。この結果、ダクト５１に流入する気流に含まれている水滴を、受け体４に衝突させて効率的に捕水することが可能になる。
【００２２】
また、枠体２は、ルーバー羽根３の下方に配置される排出流路２４の露出面２４ａの上方を覆うカバー体２５を備えているので、排出流路２４の露出面２４ａを流れる雨滴が、枠体２内を通過する気流によって吹き飛ばされることを効果的に防止することができ、効率よくかつ確実に雨滴を外部に排出することが可能になる。
【００２３】
以上、本発明に係るルーバー付きダクト５の一実施形態について説明したが、本発明の具体的な態様は上記実施形態に限定されない。上記実施形態においては、受け体４を平板状の板材により構成すると共に、受け止めた雨滴を自動的に導入孔２６側に移動できるようにするために、導入孔２６側に傾けて枠体２の下部に取り付けているが、例えば、図４に示すように、平板状の板材の縁を上方に折り曲げることにより、受け止めた雨滴がダクト５１内に落下することを防止する収容部４１を形成するように受け体４を構成し、受け体４の底部４２が水平となるように枠体２の下部に取り付けるようにしてもよい。このような構成であっても、ダクト５１内に流入した雨滴を収容部４１で受け止める共に、収容部４１に溜まった雨滴を導入孔２６を介して排出流路２４に導いてルーバー１外部に排出することができる。
【００２４】
また、図５に示すように、開口４３を中心としたすり鉢状となるように受け体４を形成すると共に、開口４３と排出流路２４とを接続する配管６を更に備えるように構成することもできる。このような構成であっても、すり鉢状の受け体４が、雨滴を受け止めると共に、受け止めた雨滴がダクト５１内に落下することを防止して、雨滴を外部に排出することができる。
【００２５】
また、本実施形態においては、導入孔２６及び排出孔２７の形状としてスリット形状を採用しているが、例えば、断面視円形状の貫通孔となるように形成してもよい。このように、導入孔２６及び排出孔２７の形状として断面視円形状の形状を採用する場合、排出流路２４を導入孔２６及び排出孔２７に接続するパイプ状部材により構成することもできる。
【００２６】
また、本実施形態においては、受け体４によって受け止められた雨滴を排出する排出流路２４を枠体２内に設けるような構成を採用しているが、このような構成に特に限定されるものではなく、例えば、排出流路２４を受け体４に接続するパイプ状部材により構成すると共に、枠体２の底板の下方を通過するような構成を採用し、受け体４にて受け止めた雨滴を外部に排出するような構成を採用することもできる。
【００２７】
また、本実施形態においては、枠体２の下部に受け体４を取り付ける構成を採用しているが、このような構成に特に限定されるものではなく、例えば、図６に示すように、ダクト５１の開口部５２近傍の下部に受け体４を取り付け、受け止めた雨滴を導入孔２６を介して排出流路２４に導くような構成を採用することもできる。このような構成によっても、上述した効果と同様な効果を得ることができ、ダクト５１内に雨滴が溜まることを防止することができる。また、図７に示すように、ダクト５１の開口部下部５５と排出流路２４とが受け体４を介して接続するような構成を採用することもできる。
【図面の簡単な説明】
【００２８】
【図１】本発明の一実施形態に係るルーバー付きダクトを示す概略構成断面図である。
【図２】図１のＡ方向から見た正面図である。
【図３】図１に示すルーバー付きダクトが備えるルーバーの斜視図である。
【図４】図１に示すルーバー付きダクトの変形例を示す要部断面図である。
【図５】図１に示すルーバー付きダクトの他の変形例を示す要部断面図である。
【図６】図１に示すルーバー付きダクトの更に他の変形例を示す要部断面図である。
【図７】図１に示すルーバー付きダクトの更に他の変形例を示す要部断面図である。
【図８】従来のルーバーを示す概略構成断面図である。
【符号の説明】
【００２９】
１    ルーバー
２    枠体
３    ルーバー羽根
４    受け体
５    ルーバー付きダクト
２４  排出流路
２５  カバー体
【図１】
2008128607.tif 000003
【図２】
2008128607.tif 000004
【図３】
2008128607.tif 000005
【図４】
2008128607.tif 000006
【図５】
2008128607.tif 000007
【図６】
2008128607.tif 000008
【図７】
2008128607.tif 000009
【図８】
2008128607.tif 000010